(57)【要約】【課題】用紙トレイにセットされた用紙サイズ情報や紙種情報の入力し忘れを抑制し、かつ、用紙トレイに前回と同じサイズ・同種の用紙をセットした際のユーザーの煩わしさを防止することができる。【解決手段】手差しトレイなどの用紙トレイにセットされたことを用紙セット検知センサが検知したら（Ｓ１のＹＥＳ）、セットされた用紙サイズを、用紙長センサおよび用紙幅センサの検知結果に基づいて推定（Ｓ２）し、推定した用紙サイズが、記憶手段に記憶されている用紙サイズ情報と異なっている場合は、用紙サイズが変更されている（Ｓ３のＹＥＳ）ので、操作パネルに手差し用紙設定画面をポップアップする（Ｓ４）。【選択図】図１２
2019015985.tif 000002
【特許請求の範囲】
【請求項１】
用紙がセットされる用紙トレイと、
用紙に画像を形成する画像形成手段と、
ユーザーが操作する内容を表示する表示部およびユーザーからの操作を受け付ける操作部を有する表示操作手段と、
ユーザーが前記表示操作手段を操作して入力した前記用紙トレイにセットされた用紙の紙種情報および／またはサイズ情報に基づいて、前記画像形成手段の画像形成条件を設定する画像形成条件設定手段とを備えた画像形成装置において、
前記用紙トレイにセットされた用紙のサイズおよび／または紙種が変更されたことを検知する用紙変更検知手段と、
前記用紙変更検知手段が用紙の変更を検知したとき、前記用紙トレイにセットした用紙の紙種情報および／またはサイズ情報を入力を行うようユーザーを誘導する誘導手段とを備えたことを特徴とする画像形成装置。
【請求項２】
請求項１の画像形成装置において、
前記誘導手段は、前記用紙変更検知手段が用紙の変更を検知したとき、前記表示操作手段の前記表示部に、前記用紙トレイにセットした用紙の紙種情報および／またはサイズ情報を入力するための操作内容が表示されるよう、前記表示操作手段を制御することを特徴とする画像形成装置。
【請求項３】
請求項１または２に記載の画像形成装置において、
ユーザーが前記表示操作手段を操作して入力した用紙の紙種および／またはサイズ情報を記憶する記憶手段と、前記用紙トレイにセットされた用紙の紙種および／または用紙サイズを推定する推定手段とを備え、
前記用紙変更検知手段は、前記推定手段の推定結果と、前記記憶手段に記憶されている用紙のサイズおよび／または紙種とが異なる場合、前記用紙トレイにセットされた用紙のサイズおよび／または紙種が変更されたと検知することを特徴とする画像形成装置。
【請求項４】
請求項１乃至３いずれかに記載の画像形成装置において、
前記用紙トレイに用紙がセットされたことを検知するセット検知手段を備え、
前記誘導手段は、前記セット検知手段が、前記用紙トレイに用紙がセットされたことを検知したら、前記用紙変更検知手段により前記用紙トレイにセットされた用紙のサイズおよび／または紙種が変更されたか否かを検知し、前記用紙変更検知手段が用紙の変更を検知した場合、前記用紙トレイにセットした用紙の紙種情報および／またはサイズ情報を入力を行うよう、ユーザーを誘導することを特徴とする画像形成装置。
【請求項５】
請求項１乃至４いずれかに記載の画像形成装置において、
前記用紙トレイに用紙がセットされたことを検知するセット検知手段を備え、
前記誘導手段は、画像データを所定時間受信しない状態が続いた場合に一部構成への電力供給を停止するスリープモードから復帰したとき、前記セット検知手段が、前記用紙トレイに用紙がセットされていることを検知していたら、前記用紙変更検知手段により前記用紙トレイにセットされた用紙のサイズおよび／または紙種が変更されたか否かを検知し、前記用紙変更検知手段が用紙の変更を検知した場合、前記用紙トレイにセットした用紙の紙種情報および／またはサイズ情報を入力を行うようユーザーを誘導することを特徴とする画像形成装置。
【請求項６】
請求項１乃至５いずれかに記載の画像形成装置において、
前記用紙トレイに用紙がセットされたことを検知するセット検知手段を備え、
前記誘導手段は、当該画像形成装置の電源ＯＦＦからＯＮに切り替わったとき、前記セット検知手段が、前記用紙トレイに用紙がセットされていることを検知していたら、前記用紙変更検知手段により前記用紙トレイにセットされた用紙のサイズおよび／または紙種が変更されたか否かを検知し、前記用紙変更検知手段が用紙の変更を検知した場合、前記用紙トレイにセットした用紙の紙種情報および／またはサイズ情報を入力を行うよう、ユーザーを誘導することを特徴とする画像形成装置。
【請求項７】
請求項１乃至６いずれかに記載の画像形成装置において、
前記用紙トレイに用紙がセットされたことを検知するセット検知手段を備え、
前記セット検知手段が、前記用紙トレイに用紙がセットされたことを検知していない状態で、ユーザーが前記表示操作手段を操作して、給紙するトレイとして、用紙トレイを選択した場合は、前記表示部の表示を前記用紙トレイにセットした用紙の紙種情報および／またはサイズ情報を入力するための表示にすることを特徴とする画像形成装置。
【請求項８】
請求項１乃至７いずれかに記載の画像形成装置において、
前記用紙トレイが、用紙が手差しでセットされる手差しトレイであることを特徴とする画像形成装置。
【発明の詳細な説明】
【技術分野】
【０００１】
本発明は、ファクシミリ、プリンタ、複写機などの画像形成装置に関するものである。
【背景技術】
【０００２】
従来から、用紙が載置され、載置された用紙を画像形成部へ給紙可能な用紙トレイとしての給紙トレイや手差しトレイを備えた画像形成装置が知られている。画像形成装置は、紙種や用紙サイズなどの条件に応じた画像形成条件が設定できるように構成されている。具体的には、給紙トレイや手差しトレイに設けられた用紙サイズ検知手段による検知結果や、ユーザーが操作パネルを操作して設定した紙種情報などに基づいて、給紙される用紙に応じた画像条件に設定している。
【０００３】
特許文献１には、次のような画像形成装置が記載されている。すなわち、手差しトレイに用紙がセットされたことを検知するセット検知手段を有している。セット検知手段が手差しトレイに用紙がセットされたことを検知したら、操作パネルの表示を、デフォルト画面から、手差しトレイの用紙サイズや紙種を設定する手差し設定画面に自動で切替える画像形成装置である。
【発明の概要】
【発明が解決しようとする課題】
【０００４】
一般的に、手差しトレイには、不定形サイズの用紙、厚紙やＯＨＰ用紙などの特殊な紙種がセットされる。手差しトレイに不定形サイズの用紙や特殊な紙種をセットした際、ユーザーは、操作パネルを操作して紙サイズ情報や紙種情報を入力する。画像形成装置は、入力された紙サイズ情報や紙種情報を記憶しておく。画像を形成する用紙として手差しトレイにセットされた用紙を指定した手差し画像形成ジョブを受信した場合は、記憶手段に記憶した紙サイズ情報や紙種情報に対応した画像形成条件で手差しトレイにセットした用紙に画像が形成される。しかしながら、ユーザーによっては、手差しトレイにセットした紙サイズ情報や紙種情報の入力を忘れる場合がある。この場合、記憶手段に記憶された紙サイズ情報や紙種情報と、手差しトレイにセットされた用紙の紙サイズや紙種とが異なることがあり、手差し画像形成ジョブにおいて良好な画像が形成されない場合がある。
【０００５】
一方、特許文献１に記載の画像形成装置においては、セット検知手段が手差しトレイに用紙がセットされたことを検知したら、操作パネルの表示を、デフォルト画面から、手差しトレイの用紙サイズや紙種を設定する手差し設定画面に自動で切替える。これにより、用紙サイズや紙種を入力するようにユーザーを誘導することができ、手差しトレイにセットした用紙の紙サイズ情報や紙種情報の入力し忘れを抑制することができる。その結果、手差し画像形成ジョブにおいて、手差しトレイにセットされた用紙に応じた画像形成条件で確実に画像を形成することができ、手差しトレイの用紙に良好な画像を形成することができる。
【０００６】
しかしながら、特許文献１に記載の画像形成装置においては、用紙トレイとしての手差しトレイに用紙をセットした都度、用紙サイズや紙種情報を入力したり、操作パネルに表示された手差しトレイの用紙サイズや紙種を設定する設定画面をデフォルト画面に戻したりする必要がある。従って、手差しトレイに毎回同じサイズ・紙種の用紙をセットするユーザーにおいては、用紙を手差しトレイにセットした都度、同じ内容を入力したり、設定画面をデフォルト画面に戻したりする必要があり煩わしく、手間であるという課題があった。
【０００７】
本発明は以上の課題に鑑みなされたものであり、その目的は、用紙トレイにセットされた用紙サイズ情報や紙種情報の入力し忘れを抑制し、かつ、用紙トレイに前回と同じサイズ・同種の用紙をセットした際のユーザーの煩わしさを防止することができる画像形成装置を提供することである。
【課題を解決するための手段】
【０００８】
上記目的を達成するために、請求項１の発明は、用紙がセットされる用紙トレイと、用紙に画像を形成する画像形成手段と、ユーザーが操作する内容を表示する表示部およびユーザーからの操作を受け付ける操作部を有する表示操作手段と、ユーザーが前記表示操作手段を操作して入力した前記用紙トレイにセットされた用紙の紙種情報および／またはサイズ情報に基づいて、前記画像形成手段の画像形成条件を設定する画像形成条件設定手段とを備えた画像形成装置において、前記用紙トレイにセットされた用紙のサイズおよび／または紙種が変更されたことを検知する用紙変更検知手段と、前記用紙変更検知手段が用紙の変更を検知したとき、前記用紙トレイにセットした用紙の紙種情報および／またはサイズ情報を入力を行うようユーザーを誘導する誘導手段とを備えたことを特徴とするものである。
【発明の効果】
【０００９】
本発明によれば、用紙トレイにセットされた用紙サイズ情報や紙種情報の入力し忘れを抑制し、かつ、用紙トレイに前回と同じサイズ・同種の用紙をセットした際のユーザーの煩わしさを防止することができる。
【図面の簡単な説明】
【００１０】
【図１】実施形態に係る複写機を示す概略構成図。
【図２】同複写機における画像形成部の一部を拡大して示す部分構成図。
【図３】同画像形成部における４つのプロセスユニットからなるタンデム部の一部を示す部分拡大図。
【図４】同複写機の画像読取ユニットの斜視説明図。
【図５】同複写機の手差しトレイの斜視図。
【図６】手差しトレイに設けられた複数の検知センサの配置位置について示す図。
【図７】本実施形態における主要な制御系を示す制御ブロック図。
【図８】手差し用紙長センサに検知される用紙（Ａ３縦サイズ）が手差しトレイにセットされたときの様子を示す説明図。
【図９】手差しトレイから延長トレイが引き出されて延長トレイが使用状態にあるときの斜視図。
【図１０】同画像形成システムの表示操作部の一例を示す平面図。
【図１１】デフォルト画面の一例を示す図。
【図１２】手差し用紙設定画面をポップアップ制御する制御フロー図。
【図１３】手差し用紙設定画面の一例を示す図。
【図１４】手差し設定画面の他の例を示す図。
【図１５】手差し設定画面のポップアップの他の例を示す図。
【図１６】電源ＯＮ時やスリープモードからの復帰時における手差し用紙設定画面をポップアップ制御する制御フロー図。
【図１７】紙種検知センサを設けた形態の手差しトレイの断面図。
【図１８】紙種検知センサによる紙種検知を加えた手差し用紙設定画面のポップアップ制御のフロー図。
【発明を実施するための形態】
【００１１】
以下、本発明を、画像形成装置としての電子写真方式の複写機５００に適用した実施形態について説明する。
まず、本実施形態に係る複写機５００の基本的な構成について説明する。
図１は、複写機５００を示す概略構成図である。
複写機５００は、画像形成手段としての画像形成部１と、給紙装置４０と、画像読取ユニット５０と、シート材載置部としての手差しトレイ６０とを備えている。画像読取装置としての画像読取ユニット５０は、画像形成部１の上に固定されたスキャナ１５０と、これに支持される原稿自動搬送装置（以下「ＡＤＦ」という。）５１とを有している。
【００１２】
給紙装置４０は、ペーパーバンク４１内に多段に配設されたシート材積載部としての２つの給紙カセット４２、給紙カセット４２からシート材としての用紙Ｐを送り出すシート送出回転体であるピックアップローラ４３を有している。また、送り出された用紙Ｐを分離して給紙路４４へ給送する分離給送手段４５等を有している。また、画像形成部１の搬送路としての本体側給紙路３７に用紙Ｐを搬送する複数の搬送ローラ対４６等も有している。そして、給紙カセット４２内の用紙Ｐは、画像形成部１内の本体側給紙路３７内に給紙され、レジストローラ対３３へ送られる。
【００１３】
また、手差しトレイ６０にセットされたシート材としての用紙Ｐは、ピックアップローラ６１によってシート搬送方向下流側へ送り出され、分離給送手段６２によって用紙Ｐを１枚だけ分離される。そして、画像形成部１内の本体側給紙路３７内に給紙され、レジストローラ対３３へ送られる。なお、ピックアップローラ６１や分離給送手段６２の構成や動作は、給紙装置４０のピックアップローラ４３や分離給送手段４５と同様である。
【００１４】
画像形成部１は、潜像形成手段としての光書込装置２や、黒、イエロー、マゼンタ、シアン（Ｋ、Ｙ、Ｍ、Ｃ）のトナー像を形成する４つのプロセスユニット３Ｋ，Ｙ，Ｍ，Ｃ、転写ユニット２４および紙搬送ユニット２８を備えている。また、レジストローラ対３３、定着装置３４、スイッチバック装置３６、本体側給紙路３７等を備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。
【００１５】
図２は、画像形成部１の内部構成の一部を拡大して示す部分構成図である。また、図３は、４つのプロセスユニット３Ｋ，Ｙ，Ｍ，Ｃからなるタンデム部の一部を示す部分拡大図である。４つのプロセスユニット３Ｋ，Ｙ，Ｍ，Ｃは、それぞれ使用するトナーの色が異なる他はほぼ同様の構成になっているので、図３においては各符号に付すＫ、Ｙ、Ｍ、Ｃという添字を省略している。
【００１６】
プロセスユニット３Ｋ，Ｙ，Ｍ，Ｃは、それぞれ、感光体４とその周囲に配設される各種装置とを１つのユニットとして共通の支持体に支持するものであり、複写機５００本体の画像形成部１に対して着脱可能になっている。一つのプロセスユニット３は、感光体４の周りに、帯電装置５、現像装置６、ドラムクリーニング装置１５、除電ランプ２２等を有している。複写機５００では、４つのプロセスユニット３Ｋ，Ｙ，Ｍ，Ｃを、後述する中間転写ベルト２５に対してその無端移動方向に沿って並べるように対向配設した、いわゆるタンデム型の構成になっている。
【００１７】
感光体４としては、アルミニウム等の素管に、感光性を有する有機感光材の塗布による感光層を形成したドラム状のものを用いている。但し、無端ベルト状のものを用いても良い。
【００１８】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００１９】
攪拌部７は、現像部１１よりも低い位置に設けられており、互いに平行配設された２本の搬送スクリュ８、これら２本の搬送スクリュ８間に設けられた仕切り板、現像ケース９の底面に設けられたトナー濃度センサ１０などを有している。
【００２０】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置から現像スリーブ１２の回転方向に向けて順次並ぶ複数の磁極を有している。これら磁極は、それぞれ現像スリーブ１２上の二成分現像剤に対して回転方向の所定位置で磁力を作用させる。これにより、攪拌部７から送られてくる二成分現像剤を現像スリーブ１２表面に引き寄せて担持させるとともに、現像スリーブ１２表面上で磁力線に沿った磁気ブラシを形成する。
【００２１】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、磁気ブラシを形成し、現像スリーブ１２に担持され現像領域を通過した二成分現像剤は、現像スリーブ１２の回転に伴って再び現像部１１内に戻る。その後、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。現像装置６としては、二成分現像剤を用いるものの代わりに、磁性キャリアを含まない一成分現像剤を用いるものを採用してもよい。
【００２２】
ドラムクリーニング装置１５としては、弾性体からなるクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュ２０上に落下する。回収スクリュ２０は、回収トナーをドラムクリーニング装置１５における図紙面と直交する方向の端部に向けて搬送して、外部のリサイクル搬送装置２１に受け渡す。リサイクル搬送装置２１は、受け渡された回収トナーを現像装置６に送ってリサイクルする。
【００２３】
除電ランプ２２は、光照射によって感光体４の表面を除電する。除電された感光体４の表面は、帯電装置５によって一様に帯電せしめられた後、光書込装置２による光書込処理がなされる。複写機５００では、帯電装置５として帯電バイアスが印加される帯電ローラを感光体４に当接させながら回転させるものを用いているが、感光体４に対して非接触で帯電処理を行うスコロトロンチャージャ等を用いてもよい。
【００２４】
先に示した図２において、４つのプロセスユニット３Ｋ，Ｙ，Ｍ，Ｃの感光体４Ｋ，Ｙ，Ｍ，Ｃには、これまで説明してきたプロセスによってＫ、Ｙ、Ｍ、Ｃトナー像が形成される。
【００２５】
４つのプロセスユニット３Ｋ，Ｙ，Ｍ，Ｃの下方には、転写ユニット２４が配設されている。転写ユニット２４は、複数のローラによって張架した中間転写ベルト２５を、感光体４Ｋ，Ｙ，Ｍ，Ｃに当接させながら図中時計回り方向に無端移動させる。これにより、感光体４Ｋ，Ｙ，Ｍ，Ｃと、中間転写ベルト２５とが当接するＫ、Ｙ、Ｍ、Ｃ用の一次転写ニップが形成されている。Ｋ、Ｙ、Ｍ、Ｃ用の一次転写ニップの近傍では、ベルトループ内側に配設された一次転写ローラ２６Ｋ，Ｙ，Ｍ，Ｃによって中間転写ベルト２５を感光体４Ｋ，Ｙ，Ｍ，Ｃに向けて押圧している。これら一次転写ローラ２６Ｋ，Ｙ，Ｍ，Ｃには、それぞれ図示しない電源によって一次転写バイアスが印加されている。これにより、Ｋ、Ｙ、Ｍ、Ｃ用の一次転写ニップには、感光体４Ｋ，Ｙ，Ｍ，Ｃ上のトナー像を中間転写ベルト２５に向けて静電移動させる一次転写電界が形成されている。図中時計回り方向の無端移動に伴ってＫ、Ｙ、Ｍ、Ｃ用の一次転写ニップを順次通過していく中間転写ベルト２５のおもて面には、各一次転写ニップでトナー像が順次重ね合わせて一次転写される。この重ね合わせの一次転写により、中間転写ベルト２５のおもて面には４色重ね合わせトナー像（以下「４色トナー像」という。）が形成される。
【００２６】
転写ユニット２４の図中下方には、駆動ローラ３０と二次転写ローラ３１との間に、無端状の紙搬送ベルト２９を掛け渡して無端移動させる紙搬送ユニット２８が設けられている。そして、二次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する二次転写ニップが形成されている。二次転写ローラ３１には図示しない電源によって二次転写バイアスが印加されている。一方、転写ユニット２４の下部張架ローラ２７は接地されている。これにより、二次転写ニップに二次転写電界が形成されている。
【００２７】
この二次転写ニップの図中右側方には、レジストローラ対３３が配設されている。また、レジストローラ対３３のレジストニップの入口付近には、図示しないレジストローラセンサが配設されている。給紙装置４０や手差しトレイ６０からレジストローラ対３３に向けて搬送されてくる用紙Ｐは、その先端が不図示のレジストローラセンサに検知された所定時間後に用紙Ｐの搬送が一時停止し、レジストローラ対３３のレジストニップに先端を突き当てる。この結果、用紙Ｐの姿勢が修正され、画像形成との同期をとる準備が整う。
【００２８】
用紙Ｐの先端がレジストニップに突き当たると、レジストローラ対３３は、用紙Ｐを中間転写ベルト２５上の４色トナー像に同期させ得るタイミングでローラ回転駆動を再開して、用紙Ｐを二次転写ニップに送り出す。二次転写ニップ内では、中間転写ベルト２５上の４色トナー像が二次転写電界やニップ圧の影響によって用紙Ｐに一括二次転写され、用紙Ｐの白色と相まってフルカラー画像となる。二次転写ニップを通過した用紙Ｐは、中間転写ベルト２５から離間して、紙搬送ベルト２９のおもて面に保持されながら、その無端移動に伴って定着装置３４へと搬送される。
【００２９】
二次転写ニップを通過した中間転写ベルト２５のおもて面には、二次転写ニップで用紙Ｐに転写されなかった転写残トナーが付着している。この転写残トナーは、クリーニング部材が中間転写ベルト２５に当接するベルトクリーニング装置３２によって掻き取り除去される。
【００３０】
定着装置３４に搬送された用紙Ｐは、定着装置３４内における加圧や加熱によってフルカラー画像が定着させしめられた後、定着装置３４から排紙ローラ対３５に送られた後、機外の排紙トレイ５０１へと排出される。
【００３１】
先に示した図１において、紙搬送ユニット２８および定着装置３４の下には、用紙反転装置であるスイッチバック装置３６が配設されている。これにより、両面プリントを行う場合には、片面に対する画像定着処理を終えた用紙Ｐの搬送経路が、切換爪によってスイッチバック装置３６側に切り換えられ、そこで用紙Ｐは反転されて再び二次転写ニップに進入する。そして、用紙Ｐのもう片面にも画像の二次転写処理と定着処理とが施された後、排紙トレイ５０１上に排紙される。
【００３２】
画像形成部１の上に固定されたスキャナ１５０やこれの上に固定されたＡＤＦ５１からなる画像読取ユニット５０は、後述する２つの固定読取部や移動読取部１５２を有している。移動読取部１５２は、原稿ＭＳに接触するようにスキャナ１５０のケーシング上壁に固定された第二コンタクトガラス１５５の直下に配設されており、光源や、反射ミラーなどからなる光学系を図中左右方向に移動させることができる。そして、光学系を図中左側から右側に移動させていく過程で、光源から発した光を第二コンタクトガラス１５５上に載置された原稿ＭＳの下面で反射させた後、複数の反射ミラーを経由させて、スキャナ１５０に固定された画像読取センサ１５３で受光する。
【００３３】
一方、画像読取ユニット５０は固定読取部として、スキャナ１５０の内部に配設された第一固定読取部１５１と、ＡＤＦ５１内に配設された後述する第二固定読取部９５とを有している。光源、反射ミラー、ＣＣＤ等の画像読取センサなどを有する第一固定読取部１５１は、原稿ＭＳに接触するようにスキャナ１５０のケーシング上壁に固定された第一コンタクトガラス１５４の直下に配設されている。そして、ＡＤＦ５１によって搬送される原稿ＭＳが第一コンタクトガラス１５４上を通過する際に、光源から発した光を原稿ＭＳの第一面で順次反射させながら、複数の反射ミラーを経由させて画像読取センサ１５３で受光する。これにより、光源や反射ミラー等からなる光学系を移動させることなく、原稿ＭＳの第一面を走査する。また、第二固定読取部９５は、第一固定読取部１５１を通過した後の原稿ＭＳの第二面を走査する。
【００３４】
スキャナ１５０の上に配設されたＡＤＦ５１は、本体カバー５２に、読取前の原稿ＭＳを載置するための原稿載置台５３、シート材としての原稿ＭＳを搬送するための原稿搬送部５４、読取後の原稿ＭＳをスタックするための原稿スタック台５５などを保持している。
【００３５】
図４は、画像読取ユニット５０の斜視説明図である。
図４に示すように、スキャナ１５０に固定された蝶番１５９によって上下方向に揺動可能に支持されている。そして、その揺動によって開閉扉のような動きをとり、開かれた状態でスキャナ１５０の上面の第一コンタクトガラス１５４や第二コンタクトガラス１５５を露出させる。原稿束の片隅を綴じた本などの片綴じ原稿の場合には、原稿を１枚ずつ分離することができないため、ＡＤＦ５１による搬送を行うことができない。そこで、片綴じ原稿の場合には、ＡＤＦ５１を図４に示すように開いた後、読み取らせたいページが見開かれた片綴じ原稿を下向きにして第二コンタクトガラス１５５上に載せた後、ＡＤＦ５１を閉じる。そして、スキャナ１５０の図１に示した移動読取部１５２によってそのページの画像を読み取らせる。
【００３６】
一方、互いに独立したシート材である複数の原稿ＭＳを単に積み重ねた原稿束の場合には、その原稿ＭＳをＡＤＦ５１によって１枚ずつ自動搬送しながら、スキャナ１５０内の第一固定読取部１５１やＡＤＦ５１内の第二固定読取部９５に順次読み取らせていくことができる。この場合、シート載置部としての原稿載置台５３上に原稿束をセットした後、操作パネル１０８のコピースタートボタン１５８を押す。すると、ＡＤＦ５１が、原稿載置台５３上に載置された原稿束の原稿ＭＳを上から順に原稿搬送部５４内に送り、それを反転させながら原稿スタック台５５に向けて搬送する。この搬送の過程で、原稿ＭＳを反転させた直後にスキャナ１５０の第一固定読取部１５１の真上に通す。このとき、原稿ＭＳの第一面の画像がスキャナ１５０の第一固定読取部１５１によって読み取られる。
【００３７】
次に、本実施形態における手差しトレイ６０の構成について説明する。
図５は、本実施形態における手差しトレイ６０の斜視図である。
本実施形態における用紙トレイとしての手差しトレイ６０は、図５中符号Ｂで示す回転軸を中心に、図５中矢印Ａの方向へ回動させることで、複写機５００に収納することができる。手差しトレイ６０が収納状態にあるときには、手差しトレイ６０が複写機５００の外壁面から大きく突出しない状態となるので、複写機５００周囲のユーザーの邪魔にならない。一方、ユーザーが手差しトレイ６０に用紙Ｐをセットしてプリントする場合には、収納状態にある手差しトレイ６０を図５中符号Ｂで示す回転軸を中心に図５中矢印Ａとは逆方向へ回動させることで、図５に示すような使用状態とする。そして、使用状態の手差しトレイ６０の載置面６０ａの上に、使用する用紙Ｐを載せ、その用紙Ｐの先端が所定位置に位置決めされるように、用紙Ｐを載置面６０ａ上にセットする。
【００３８】
本実施形態の手差しトレイ６０には、載置面６０ａ上に載置されている用紙Ｐの搬送方向に対して直交する幅方向両端部の位置を規制する用紙幅方向規制部材としての２つのサイドフェンス６３Ａ，６３Ｂが設けられている。２つのサイドフェンス６３Ａ，６３Ｂは、用紙幅方向に延びるスライド溝６６に沿って、互いに連動してスライド移動可能に構成されている。具体的には、載置面６０ａの用紙幅方向略中央に設定されている所定の用紙幅方向基準位置に対し、２つのサイドフェンス６３Ａ，６３Ｂが互いに同期して同距離だけ反対方向に移動するように構成されている。したがって、使用する用紙Ｐを載置面６０ａ上に載せた後に、２つのサイドフェンス６３Ａ，６３Ｂが用紙Ｐの幅方向両端に接触するようにサイドフェンス６３Ａ，６３Ｂを移動させることで、いずれの幅方向サイズをもった用紙Ｐでも、その幅方向中心位置を所定の用紙幅方向基準位置に位置決めすることができる。
【００３９】
また、本実施形態の手差しトレイ６０には、載置面６０ａ上に載置されている用紙Ｐの搬送方向長さ（以下「用紙長」という。）を検知するシート長検知手段としての用紙長センサ６４が設けられている。この用紙長センサ６４は、用紙１枚程度が載るだけで押し下げられる程度のメカニカルスイッチで構成されている。具体的には、手差しトレイ６０の載置面６０ａ上におけるシート搬送方向上流端部付近で載置面６０ａ上に進退可能に突出する突出部と、その突出部が載置面下に向けて押し下げられたか否かを検知する押下検知部とから構成されている。これにより、用紙長センサ６４は、手差しトレイ６０の載置面６０ａ上におけるシート搬送方向上流端部付近に用紙Ｐの下面が接触又は近接しているか否かを検知することができる。従って、用紙長センサ６４の検知結果から、次のことが判別できる。すなわち、手差しトレイ６０にセットされた用紙Ｐの用紙長が、用紙長センサ６４の突出部の位置よりも短いものであるか、長いものであるかの判別である。
【００４０】
図６は、手差しトレイ６０に設けられた複数の検知センサの配置位置について示す図である。
図６に示すように、手差しトレイ６０には、上述した用紙長センサ６４の他に、用紙セットセンサ６７、用紙幅センサ６９を有している。用紙セットセンサ６７は、手差しトレイ６０と複写機５００本体との接合部分近傍に設けられており、手差しトレイ６０に用紙Ｐがセットされるとその検知信号を制御部７０（図７参照）へ出力する。また、用紙幅センサ６９は、サイドフェンス６３Ａ，６３Ｂと一体的に設けられており、サイドフェンス６３Ａ，６３Ｂの設定位置を用紙Ｐの横幅として制御部７０に出力する。用紙幅センサ６９、用紙セットセンサ６７、用紙長センサ６４は、広く公知のものを利用することができる。
【００４１】
図７は、本実施形態における主要な制御系を示す制御ブロック図である。
上述した２つのサイドフェンス６３Ａ，６３Ｂの用紙幅方向位置を検知する用紙幅センサ６９の検知結果、用紙長センサ６４の検知結果は、制御部７０へ送られる。そして、制御部７０は、これらの検知結果から、手差しトレイ６０にセットされている用紙Ｐのサイズ（用紙長、用紙幅）が、予め決められた複数種類の定型サイズのいずれのサイズであるかを推定する推定手段として機能する。すなわち、制御部７０は、用紙幅センサ６９の検知結果から用紙Ｐの用紙幅を検出する。また、用紙長センサ６４の検知結果から用紙Ｐの用紙長が用紙長センサ６４の突出部位置よりも短いものであるか長いものであるかを判別する。これらから、当該用紙Ｐのサイズを推定する。
【００４２】
例えば、用紙長センサ６４の突出部位置が、手差しトレイ６０にＡ４横サイズの用紙がセットされたときにその用紙の後端が達しない位置に設定されている場合、図８に示すようにＡ４横サイズの用紙Ｐ１がセットされた場合、用紙長センサ６４はこれを検知しない。手差し用紙長センサ６４が検知しないときには、セットされている用紙が、Ａ４横サイズ、Ｂ５横サイズのいずれかのサイズであると絞り込むことができる。そして、用紙幅センサ６９が検知した用紙幅から、セットされている用紙が、Ａ４横サイズ、Ｂ５横サイズのいずれであるかを推定することができる。したがって、図８に示す例では、これをＡ４横サイズの用紙であると適切に推定できる。
【００４３】
一方、図９に示すようにＡ３縦サイズの用紙Ｐ２がセットされた場合、その用紙Ｐによって用紙長センサ６４の突出部が押し下げられ、用紙長センサ６４はこれを検知する。用紙長センサ６４が用紙を検知しているとき、セットされている用紙は、Ａ３縦サイズ、Ａ４縦サイズ、Ｂ５縦サイズのいずれかのサイズであると絞り込むことができる。そして、用紙幅センサ６９が検知した用紙幅から、セットされている用紙が、Ａ３縦サイズ、Ａ４縦サイズ、Ｂ５縦サイズのいずれであるかを推定することができる。したがって、図９に示す例では、これをＡ３縦サイズの用紙であると適切に推定できる。
【００４４】
図７に示す記憶手段７１には、手差しトレイ６０にセットされた用紙サイズ情報や紙種情報が記憶されている。例えば、手差しトレイ６０にセットされた用紙を給紙して画像形成を行う手差しジョブの場合、制御部７０は、記憶手段７１から手差しトレイ６０にセットされた用紙の用紙サイズ情報、紙種情報を読み出す。制御部７０は、読み出した用紙サイズ情報に基づいて、ジャム検知や、書き込み開始位置の調整などを行う。また、読み出した紙種情報に基づいて、例えば、２次転写バイアスや、定着温度を制御する。
【００４５】
図１０は、複写機５００の表示操作部の一例を示す平面図である。
複写機５００は上面に、利用者が操作することができる表示操作手段としての操作パネル１０８を備えている。操作パネル１０８は、例えば、図１０に示すように表示手段としての液晶ディスプレイ（ＬＣＤ）等からなる表示部１０９と、操作手段としてのキー操作部（例えば、テンキー）１１０を備える。なお、本例の表示部１０９はタッチパネルの機能を有し、各種表示とともに利用者の接触位置検知が可能である。すなわち、本例の表示部１０９は操作手段としての機能も有している。
【００４６】
手差しトレイ６０には、Ａ系列の用紙やＢ系列の用紙のような定型サイズの用紙以外の不定形サイズの用紙がセットされることが多い。また、手差しトレイ６０には、厚紙やＯＨＰ用紙、光沢紙など、特殊な紙種をセットされることが多い。
【００４７】
手差しトレイ６０に不定形サイズの用紙や、特殊な紙種をセットした場合、ユーザーは、操作パネル１０８を操作して、手差しトレイ６０にセットした用紙サイズ情報や紙種情報を入力する。制御部７０は、入力された用紙サイズ情報や、紙種情報を記憶手段７１に記憶する。
【００４８】
手差しトレイ６０に不定形サイズの用紙や、特殊な紙種をセットしたとき、ユーザーが、用紙サイズ情報や紙種情報を入力し忘れることがある。例えば、手差しトレイ６０に先の図９に示すＡ３縦サイズよりも長さ（用紙搬送方向）が長い不定形サイズの用紙がセットされた場合において、ユーザーが用紙サイズ情報の入力を忘れると、用紙長センサ６４と用紙幅センサ６９とに基づいて装置は、Ａ３縦サイズの用紙が手差しトレイ６０にセットされた判断する。従って、手差しジョブにおいて、Ａ３縦サイズ情報に基づいて、ジャム検知がなされる。その結果、Ａ３縦サイズ用紙の後端が抜けるタイミングとなっても、用紙搬送経路に設けられた不図示の用紙検知センサが、用紙を検知し続けることなり、実際は、ジャムが発生していないにもかかわらず、ジャムが発生したと誤検知してしまう。
【００４９】
また、例えば、手差しトレイ６０に厚紙がセットされた場合において、ユーザーが紙種情報の入力を忘れた場合、手差しジョブにおいて、普通紙の画像形成条件で画像形成が行われる。その結果、２次転写不良や定着不良が発生してしまう。
【００５０】
そこで、用紙セットセンサ６７によって、手差しトレイ６０に用紙がセットされたことを検知したら、操作パネル１０８の表示部１０９に、例えば、図１１に示すような、デフォルト画面から、手差し用紙設定画面をポップアップする。これにより、ユーザーに手差しトレイ６０にセットされた用紙のサイズ情報や紙種情報の入力を行うように誘導することができ、ユーザーの入力し忘れを抑制することができる。
【００５１】
なお、上記ポップアップとは、表示部１０９の最前面に表示され（下層の画面の操作ができない）、その画面がアクティブ（ユーザの操作可能）な状態であることをいう。また、手差し用紙設定画面は、ユーザの操作なしに次の表示への遷移、最前面からの移動を行わないようにする。また、ユーザーの操作により、一定時間の経過で閉じるようにしてもよい。
【００５２】
しかしながら、毎回同じサイズの用紙や紙種を手差しトレイ６０にセットするユーザーも存在する。そのようなユーザーにおいては、用紙を手差しトレイ６０にセットするたびに、表示部１０９に表示された手差し用紙設定画面を操作して、先の図１１に示したような、デフォルト画面へ遷移させる必要があり、煩わしく手間であるという不具合が生じてしまう。
【００５３】
そこで、本実施形態においては、前回と同じ用紙サイズの用紙が、手差しトレイ６０にセットされたと推定される場合は、手差し用紙設定画面を表示しないようにした。以下に、具体的説明する。
【００５４】
図１２は、本実施形態の手差し用紙設定画面をポップアップ制御する制御フロー図である。
図１２に示すように、用紙セットセンサ６７が、手差しトレイ６０に用紙がセットされていないことを示すＯＦＦ状態から、手差しトレイ６０に用紙がセットされていることを示すＯＮ状態に切り替わったら（Ｓ１のＹＥＳ）、手差しトレイ６０にセットされた用紙サイズを推定する（Ｓ２）。制御部７０は、用紙幅センサ６９、用紙長センサ６４の検知結果に基づいて用紙サイズを推定する。次に、制御部７０は、その推定結果と、記憶手段７１に記憶されている用紙サイズ情報とを比較する（Ｓ３）。比較した結果、用紙サイズが異なっている場合（Ｓ４のＹＥＳ）は、手差しトレイ６０にセットされた用紙サイズが変更されているので、表示部１０９に図１３に示すような、手差し用紙設定画面をポップアップする（Ｓ４）。このように、用紙サイズが変更されていることを検知した場合は、手差し用紙設定画面を表示することで、ユーザーに対して、手差しトレイ６０にセットした用紙サイズや、紙種の入力するよう誘導することができる。また、このとき、報知音などで手差し用紙設定画面で用紙サイズや、紙種の入力するように誘導してもよい。これにより、手差しトレイ６０にセットした用紙サイズや紙種の入力し忘れを抑制することができる。
【００５５】
図１３に示す手差し用紙設定画面には、用紙サイズ入力画面Ｇ１と、用紙種類入力画面Ｇ２とを有している。用紙サイズ入力画面には、用紙幅センサ６９と用紙長センサ６４とから推定される定型サイズの用紙が、選択可能となっている。手差しトレイ６０にセットされた用紙が、定型サイズの用紙の場合は、選択可能な定型サイズ用紙のいずれかを選択する。一方、手差しトレイ６０にセットした用紙が不定形サイズのときは、定型サイズ設定表示部の右側の不定形サイズ設定表示部で不定形サイズの入力を行う。具体的には、用紙長さを設定する場合は、ヨコと表示されている箇所を選択した後、テンキーでサイズを入力する。一方、用紙幅を設定する場合は、タテと表示されている箇所を選択した後、テンキーでサイズを入力する。
紙種の入力は、用紙種類入力画面Ｇ２に表示されている複数紙種のうちのひとつを選択することにより、設定することができる。
ユーザーが入力した用紙サイズ情報や紙種情報は、記憶手段７１に上書きされる。
【００５６】
記憶手段７１に記憶されている用紙サイズ情報と推定結果とが同じ場合（Ｓ４のＮｏ）、手差しトレイ６０にセットされた用紙が、前回と同じ用紙サイズ、同じ紙種である可能性が高い。従って、この場合は、手差し用紙設定画面のポップアップを行わずに終了する。これにより、前回と同じ用紙をセットしたユーザーは、先の図１３に示した手差し用紙設定画面で用紙サイズや紙種の入力を行ったり、「取消」を選択してポップアップを消して先の図１１に示したデフォルト画面へ戻したりする操作が不要となる。よって、前回と同じ用紙サイズ、同じ紙種を手差しトレイ６０にセットしたユーザーに対して、使い勝手のよい画像形成装置を提供することができる。
【００５７】
また、用紙セットセンサ６７が用紙のセットを検知してない状態で、先の図１１に示すデフォルト画面からユーザーが手差しトレイを選択した場合（Ｓ１のＮｏ，Ｓ５のＹｅｓ）も、手差し用紙設定画面のポップアップを行う（Ｓ５）。これにより、この後、手差しトレイ６０にセットされる用紙のサイズ情報や紙種情報を入力するようをユーザーを誘導することができ、用紙のサイズ情報や紙種情報の入力し忘れを抑制できる。
【００５８】
手差しトレイ６０がセットされていない状態で、手差しトレイ６０を選択したときにポップアップする手差し用紙設定画面を、図１４にして、手差しトレイ６０にセットした用紙サイズが異なるときにポップアップする画面と異ならせてもよい。図１４に示すように、手差しトレイ６０を選択したときにポップアップする手差し用紙設定画面は、用紙をセットして、サイドフェンスを用紙サイズに合わせる指示なども表示する。ユーザーが、「サイズ設定」を選択すると、先の図１３に示した用紙サイズ入力画面Ｇ１と同様な画面がポップアップし、サイズ入力が行われる。一方「用紙種類設定」を選択すると、先の図１３に示した用紙種類入力画面Ｇ２と同様な画面がポップアップし、紙種の入力が行われる。
【００５９】
図１４に示す「解除」ボタンが押されると、手差しトレイ６０の指定が解除され、図１４に示す手差し用紙設定画面が消えて、先の図１１に示すデフォルト画面に戻る。また、用紙セットセンサ６７が用紙のセットを検知し、かつ、用紙サイズ・紙種情報が入力されたら手差し用紙設定画面が消えてデフォルト画面に戻る。
【００６０】
また、入力された用紙サイズ情報が定型サイズの場合は、次のように制御してもよい。すなわち、用紙幅センサ６９と用紙長センサ６４との検知結果から推定された用紙サイズと、入力された用紙サイズとが異なる場合、表示部１０９に、入力された用紙サイズ情報に誤りがある旨を表示するなどして、用紙サイズ情報を再度入力する旨を表示する制御するのである。
【００６１】
また、上述では、手差し用紙設定画面が、表示部１０９全体にポップアップするようにしているが、図１５に示すように表示部１０９の一部に手差し用紙設定画面が、ポップアップするようにしてもよい。
【００６２】
図１６は、電源ＯＮ時やスリープモードからの復帰時における手差し用紙設定画面をポップアップ制御する制御フロー図である。
装置の電源がＯＦＦの間に、手差しトレイ６０にセットされた用紙が交換されている場合がある。装置の電源がＯＦＦのときは、用紙セットセンサへの通電が行われていないため、用紙が交換されたことを検知できない。
【００６３】
また、本実施形態の画像形成装置は、画像形成動作モード、待機モード、スリープモードの３つのモードを有している。ここで、画像形成動作モードとは、画像形成装置が画像形成処理を実行している状態を示す。待機モードは、画像形成装置が画像形成処理の実行指示を待っている状態（画像形成動作待機）を示す。スリープモードとは、待機モードよりも更に消費電力が少ない低電力消費の状態（画像形成動作待機）を示す。スリープモードでは、一定時間の間、画像形成動作が行われないと、待機モードからスリープモードに移項する。スリープモードに移項すると、例えば、定着装置３４等の各デバイスへの通電は停止し、制御部７０のみ通電が行われる。そのため、スリープモードのときも、用紙セットセンサへの通電が行われていないため、用紙が交換されたことを検知できない。
【００６４】
このように電源ＯＦＦ時やスリープモード時に手差しトレイ６０にセットされた用紙の交換が行われており、用紙サイズや紙種が変更されているおそれがある。従って、電源ＯＮ時やスリープモードからの復帰時に、手差し用紙設定画面をポップアップ制御するか否かの判定を行う。
【００６５】
図１６に示すように、電源ＯＮ時やスリープモードからの復帰時に制御部７０は、用紙セットセンサ６７がＯＮか否かをチェックする（Ｓ１１）。用紙セットセンサ６７がＯＮ（Ｓ１１のＹｅｓ）で、手差しトレイ６０に用紙がセットされていたら、制御部７０は、用紙幅センサ６９と用紙長センサ６４との検知結果から手差しトレイ６０にセットされている用紙の用紙サイズを推定する（Ｓ１２）。次に、制御部７０は、その推定結果と、記憶手段７１に記憶されている用紙サイズ情報とを比較する（Ｓ１３）。比較した結果、用紙サイズが異なっている場合（Ｓ１４のＹＥＳ）は、電源ＯＦＦ時やスリープモードのときに、用紙の交換がなされている。従って、表示部１０９に先の図１３に示すような、手差し用紙設定画面をポップアップする（Ｓ１５）。
【００６６】
また、図１７に示すように、手差しトレイ６０にセットされた用紙の紙種を検知する紙種検知センサ７２を設けて、この紙種検知センサ７２の検知結果に基づいて、手差用紙設定画面をポップアップするか否かを判定してもよい。
【００６７】
図１７に示す紙種検知センサ７２は、反射型のフォトセンサである。例えば、ＯＨＰ紙、普通紙で反射率が異なる。また、コピー用紙と上質紙とでは、白色度が異なり反射率が異なってくる。従って、紙種検知センサ７２が受光する受光量により、紙種を推定することができる。
【００６８】
図１８は、紙種検知センサによる紙種検知を加えた手差し用紙設定画面のポップアップ制御のフロー図である。
図１８に示すように、用紙サイズが記憶手段に記憶されている用紙サイズと同じ場合（Ｓ２４のＮｏ）、紙種検知センサ７２で紙種を推定する（Ｓ２５）。具体的には、紙種検知センサ７２で用紙を検知したときの出力電圧（受光量）を記憶手段に記憶しておき、今回の紙種検知センサ７２の出力電圧と、記憶手段に記憶された出力電圧とを比較する。出力電圧が、誤差範囲以上異なる場合は、手差しトレイにセットされた用紙の種類が異なっている。このように、紙種が異なっている場合（Ｓ２６のＹＥＳ）のときは、前回とは異なる用紙サイズや紙種が手差しトレイ６０にセットされた可能性がある。従って、このときは、先の図１３に示した手差し用紙設定画面をポップアップして、ユーザーに用紙サイズ情報の入力や紙種情報の入力を促す。
【００６９】
また、分離給送手段６２の用紙搬送方向下流側の近傍に、第２の紙種検知センサとしての用紙厚み検知センサを設けて、手差しトレイにセットされた用紙の厚みを検知し、用紙厚み検知センサの検知結果と記憶手段に記憶された用紙厚み情報とを比べる。そして、用紙厚み検知センサの検知結果が、記憶手段に記憶された用紙厚み情報と異なる場合は、手差し用紙設定画面をポップアップして、ユーザーに用紙サイズ情報の入力や紙種情報の入力するように誘導してもよい。この場合、用紙サイズ情報、紙種検知センサ７２に変更がなかった場合、手差しトレイ６０にセットされた用紙のうち最上位の用紙を、先端が用紙厚み検知センサと対向する位置まで搬送する。そして、用紙厚み検知センサで用紙の厚みを検知する。用紙厚み検知センサとしては、透過型のフォトセンサを用いることができ、透過率により用紙の厚みを検知することができる。
【００７０】
上述のように、用紙サイズ情報のみでなく、紙種情報（反射率や厚み）を検知して、セットされる用紙が、前回と異なるか否かをチェックするこことにより、前回と異なる用紙がセットされたときに、手差し用紙設定画面を確実にポップアップできる。これにより、ユーザーの用紙サイズ情報、紙種情報の入力し忘れをより一層、抑制することができる。また、同じ用紙をセットした場合は、手差し用紙設定画面がポップアップされないので、毎回同じ用紙をセットするユーザーの手間を削減することができ、利便性の高い画像形成装置を提供することができる。
【００７１】
また、上述では、手差しトレイ６０に本発明を適用した実施形態について説明したが、用紙トレイとしての給紙カセット４２に本発明を適用してもよい。
【００７２】
以上に説明したものは一例であり、本発明は、以下の態様毎に特有の効果を奏する。
（態様１）
用紙がセットされる手差しトレイ６０などの用紙トレイと、用紙に画像を形成する画像形成部１などの画像形成手段と、ユーザーが操作する内容を表示する表示部およびユーザーからの操作を受け付ける操作部を有する操作パネル１０８などの表示操作手段と、ユーザーが表示操作手段を操作して入力した用紙トレイにセットされた用紙の紙種情報および／またはサイズ情報に基づいて、画像形成手段の画像形成条件を設定する制御部７０などの画像形成条件設定手段とを備えた複写機５００などの画像形成装置において、用紙トレイにセットされた用紙のサイズおよび／または紙種が変更されたことを検知する用紙変更検知手段（本実施形態では、用紙長さセンサ６４、用紙幅センサ６９、制御部７０などで構成）と、用紙変更検知手段が用紙の変更を検知したとき、用紙トレイにセットした用紙の紙種情報および／またはサイズ情報を入力を行うようユーザーを誘導する誘導手段（操作パネル１０８、制御部７０などで構成）とを備えた。
（態様１）によれば、前回と同じサイズ・紙種の用紙を手差しトレイ６０などの用紙トレイにセットした場合は、用紙変更検知手段が用紙の変更を検知しない。従って、このときは、例えば、用紙トレイにセットした用紙の紙種情報および／またはサイズ情報を入力するための表示が、表示部に表示されるなどの用紙トレイにセットした用紙の紙種情報および／またはサイズ情報を入力を行うよう、ユーザーに誘導する動作が生じない。よって、（態様１）では、特許文献１に記載の画像形成装置とは異なり、用紙トレイにセットした用紙の紙種情報および／またはサイズ情報を入力するため操作内容の表示を、デフォルト画面に切替えたりするなどの元に戻す手間が生じることがない。これにより、前回と同じサイズ・紙種の用紙を用紙トレイにセットした場合のユーザーの煩わしさを防止することができる。
また、紙種・用紙サイズが、前回とは異なる用紙が用紙トレイにセットされた場合は、用紙変更検知手段が用紙の変更を検知する。従って、このときは、用紙トレイにセットした用紙の紙種情報および／またはサイズ情報を入力するための表示を、表示部に表示するなどの用紙トレイにセットした用紙の紙種情報および／またはサイズ情報を入力を行うよう誘導する動作が生じる。よって、この場合は、用紙トレイにセットした用紙サイズ・紙種情報をユーザーに入力するよう誘導することができ、ユーザーの用紙トレイにセットした用紙の紙サイズ情報や紙種情報の入力し忘れを抑制することができる。その結果、用紙トレイの用紙に対応した画像形成条件で、用紙トレイの用紙に画像を形成することができ、用紙トレイの用紙に良好な画像を形成することができる。
【００７３】
（態様２）
（態様１）において、誘導手段は、用紙変更検知手段が用紙の変更を検知したとき、操作パネル１０８などの表示操作手段の表示部１０９に、手差しトレイ６０などの用紙トレイにセットした用紙の紙種情報および／またはサイズ情報を入力するための操作内容が表示されるよう、表示操作手段を制御する。
（態様２）によれば、用紙変更検知手段が用紙の変更を検知したとき、用紙トレイにセットした用紙の紙種情報および／またはサイズ情報を入力するための操作内容が表示操作手段の表示部１０９に表示されることで、用紙トレイにセットした用紙の紙種情報および／またはサイズ情報を入力を行うようユーザーを誘導することができる。
【００７４】
（態様３）
（態様１）または（態様２）において、ユーザーが操作パネル１０８などの表示操作手段を操作して入力した用紙の紙種および／またはサイズ情報を記憶する記憶手段７１と、用紙トレイにセットされた用紙の紙種および／または用紙サイズを推定する推定手段（本実施形態では、用紙長センサ６４、用紙幅センサ６９、制御部７０などで構成）とを備え、用紙変更検知手段は、推定手段の推定結果と、記憶手段に記憶されている用紙のサイズおよび／または紙種とが異なる場合、用紙トレイにセットされた用紙のサイズおよび／または紙種が変更されたと検知する。
（態様３）によれば、記憶手段７１に記憶された用紙の紙種および／または用紙サイズと推定手段で推定した用紙の紙種および／または用紙サイズとを比べることで、用紙トレイにセットされた用紙のサイズおよび／または紙種が変更されたとことを良好に検知することができる。
【００７５】
（態様４）
（態様１）乃至（態様３）いずれかにおいて、手差しトレイ６０などの用紙トレイに用紙がセットされたことを検知する用紙セットセンサ６７などのセット検知手段を備え、誘導手段は、セット検知手段が、用紙トレイに用紙がセットされたことを検知したら、用紙変更検知手段により用紙トレイにセットされた用紙のサイズおよび／または紙種が変更されたか否かを検知し、用紙変更検知手段が用紙の変更を検知した場合、用紙トレイにセットした用紙の紙種情報および／またはサイズ情報を入力を行うよう、ユーザーを誘導する。
手差しトレイ６０に用紙がセットされた場合、用紙が変更された可能性がある。よって、用紙セットセンサ６７などのセット検知手段により用紙トレイに用紙がセットされたことを検知したら、用紙変更手段により用紙が変更されたか否かをチェックすることで、用紙の変更を良好に検知できる。これにより、用紙が変更されたとき、用紙トレイにセットした用紙の紙種情報および／またはサイズ情報を入力を行うよう、ユーザーを確実に誘導することができる。
【００７６】
（態様５）
（態様１）乃至（態様４）いずれかにおいて、手差しトレイ６０などの用紙トレイに用紙がセットされたことを検知する用紙セットセンサ６７などのセット検知手段を備え、誘導手段は、画像データを所定時間受信しない状態が続いた場合に一部構成への電力供給を停止するスリープモードから復帰したとき、セット検知手段が、用紙トレイに用紙がセットされていることを検知していたら、用紙変更検知手段により用紙トレイにセットされた用紙のサイズおよび／または紙種が変更されたか否かを検知し、用紙変更検知手段が用紙の変更を検知した場合、用紙トレイにセットした用紙の紙種情報および／またはサイズ情報を入力を行うようユーザーを誘導する。
（態様５）によれば、図１６に示す制御フローを用いて説明したように、スリープモードのときは、用紙セットセンサ６７などのセット検知手段への通電も停止されているため、スリープモード復帰時に、手差しトレイ６０などの用紙トレイにセットされている用紙が変更されたか否かが判別できない。従って、スリープモードから復帰したときに、セット検知手段が、用紙トレイに用紙がセットされていることを検知していたら、用紙変更手段により用紙トレイにセットされた用紙のサイズおよび／または紙種が変更されている否かをチェックする。そして、変更を検知した場合は、用紙トレイにセットした用紙の紙種情報および／またはサイズ情報を入力を行うようユーザーを誘導する。これにより、スリープモードのときに用紙トレイにスリープモード実行前とは、紙種や用紙サイズが異なる用紙がセットされたとしても、用紙トレイにセットした用紙の紙種情報および／またはサイズ情報を入力するようユーザーを誘導することができる。これにより、ユーザーの用紙サイズ情報の入力や紙種サイズの入力忘れを抑制することができる。また、用紙サイズや紙種に変更がない場合は、用紙トレイにセットした用紙の紙種情報および／またはサイズ情報を入力を誘導する動作は生じない。これにより、操作パネルなどに表示されたユーザーを誘導するための表示をデフォルト画面に戻すなどのユーザーの手間を削減でき、利便性の高い画像形成装置を提供することができる。
【００７７】
（態様６）
（態様１）乃至（態様５）いずれかにおいて、手差しトレイ６０などの用紙トレイに用紙がセットされたことを検知する用紙セットセンサ６７などのセット検知手段を備え、誘導手段は、当該画像形成装置の電源ＯＦＦからＯＮに切り替わったとき、セット検知手段が、用紙トレイに用紙がセットされていることを検知していたら、用紙変更検知手段により用紙トレイにセットされた用紙のサイズおよび／または紙種が変更されたか否かを検知し、用紙変更検知手段が用紙の変更を検知した場合、前記用紙トレイにセットした用紙の紙種情報および／またはサイズ情報を入力を行うよう、ユーザーを誘導する。
（態様６）によれば、（態様５）と同様、図１６に示す制御フローを用いて説明したように、電源ＯＦＦ時は、手差しトレイ６０などの用紙トレイにセットされている用紙が変更されたか否かが判別できない。従って、電源がＯＮに切り替わったとき、セット検知手段が、用紙トレイに用紙がセットされていることを検知していたら、用紙変更手段により用紙トレイ上の用紙が変更されていないかチェックする。そして、変更されたことを検知したときは、用紙トレイにセットした用紙の紙種情報および／またはサイズ情報を入力を行うようユーザーを誘導する。これにより、電源ＯＦＦのときに用紙トレイに電源ＯＦＦの前とは、紙種や用紙サイズが異なる用紙がセットされたとしても、用紙トレイにセットした用紙の紙種情報および／またはサイズ情報を入力を行うようユーザーを誘導することができる。これにより、ユーザーの用紙サイズ情報の入力や紙種サイズの入力忘れを抑制することができる。また、用紙サイズや紙種に変更がない場合は、用紙トレイにセットした用紙の紙種情報および／またはサイズ情報を入力を誘導する動作は生じない。これにより、操作パネルなどに表示されたユーザーを誘導するための表示をデフォルト画面に戻すなどのユーザーの手間を削減でき、利便性の高い画像形成装置を提供することができる。
【００７８】
（態様７）
（態様１）乃至（態様６）いずれかにおいて、手差しトレイ６０などの用紙トレイに用紙がセットされたことを検知する用紙セットセンサ６７などのセット検知手段を備え、セット検知手段が、用紙トレイに用紙がセットされたことを検知していない状態で、ユーザーが操作パネル１０８などの表示操作手段を操作して、給紙するトレイとして、用紙トレイを選択した場合は、表示部１０９の表示を用紙トレイにセットした用紙の紙種情報および／またはサイズ情報を入力するための表示にする。
（態様７）によれば、用紙セット前に手差しトレイ６０などの用紙トレイを給紙するトレイとして設定した場合、操作パネル１０８などの表示操作手段に用紙トレイにセットした用紙の紙種情報および／またはサイズ情報を入力するための表示が行われるので、ユーザの入力し忘れが生じるのを抑制することができる。
【００７９】
（態様８）
また、（態様１）乃至（態様７）いずれかにおいて、用紙トレイが、用紙が手差しでセットされる手差しトレイ６０である。
手差しトレイには、実施形態で説明したように、不定形サイズの用紙や特殊な紙種の用紙がセットされやすい。また、セットする用紙が頻繁に変わりやすい。従って、手差しトレイ６０に上述した（態様１）乃至（態様５）に記載の構成を採用することにより、ユーザの紙種情報や用紙サイズ情報の入力し忘れを効果的に抑制することができ、好ましい。また、手差しトレイには、毎回、特定の用紙をその都度セットされる場合も多い。そのように手差しトレイを使用するユーザーにとっては、毎回、ユーザの紙種情報や用紙サイズ情報の入力をしなくてもよく、利便性の高い画像形成装置を提供することができる。
【符号の説明】
【００８０】
１：画像形成部
６０：手差しトレイ
６１：ピックアップローラ
６２：分離給送手段
６３Ａ，６３Ｂ：サイドフェンス
６４：用紙長センサ
６７：用紙セットセンサ
６９：用紙幅センサ
７０：制御部
７１：記憶手段
７２：紙種検知センサ
１０８：操作パネル
１０９：表示部
【先行技術文献】
【特許文献】
【００８１】
【特許文献１】特開２００１−２３５９７６号
【図１】
2019015985.tif 000003
【図２】
2019015985.tif 000004
【図３】
2019015985.tif 000005
【図４】
2019015985.tif 000006
【図５】
2019015985.tif 000007
【図６】
2019015985.tif 000008
【図７】
2019015985.tif 000009
【図８】
2019015985.tif 000010
【図９】
2019015985.tif 000011
【図１０】
2019015985.tif 000012
【図１１】
2019015985.tif 000013
【図１２】
2019015985.tif 000014
【図１３】
2019015985.tif 000015
【図１４】
2019015985.tif 000016
【図１５】
2019015985.tif 000017
【図１６】
2019015985.tif 000018
【図１７】
2019015985.tif 000019
【図１８】
2019015985.tif 000020
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
用紙がセットされる用紙トレイと、
用紙に画像を形成する画像形成手段と、
ユーザーからの操作を受け付ける操作部と、
ユーザーが前記操作部を操作して入力した前記用紙トレイにセットされた用紙のサイズを記憶する記憶手段と、
前記用紙トレイにセットされている用紙の用紙長を検知する用紙長検知手段と、
前記用紙トレイにセットされている用紙の用紙幅を検知する用紙幅検知手段と、
表示部とを備え、
電源ＯＦＦからＯＮに切り替わった後、前記用紙長検知手段および前記用紙幅検知手段により検知された用紙の用紙長および用紙の用紙幅が、前記記憶手段に記憶されている用紙のサイズのものと対応するか否かを判断し、
検知された用紙の用紙長および用紙の用紙幅が前記記憶手段に記憶されている用紙のサイズのものと対応する場合は、前記表示部に用紙のサイズの入力をユーザーに促す表示をせずにコピーができる旨の表示をおこない、
検知された用紙の用紙長および用紙の用紙幅が前記記憶手段に記憶されている用紙のサイズのものと対応しない場合は、前記表示部に用紙のサイズの入力をユーザーに促す表示をおこなうことを特徴とする画像形成装置。
【請求項２】
請求項１に記載の画像形成装置において、
前記用紙トレイに用紙がセットされたことを検知するセット検知手段を備え、
当該画像形成装置の電源ＯＦＦからＯＮに切り替わった後、前記セット検知手段が、前記用紙トレイに用紙がセットされていることを検知していたら、前記用紙長検知手段および前記用紙幅検知手段により検知された用紙の用紙長および用紙の用紙幅が、前記記憶手段に記憶されている用紙のサイズのものと対応するか否かを判断することを特徴とする画像形成装置。
【請求項３】
用紙がセットされる用紙トレイと、
用紙に画像を形成する画像形成手段と、
ユーザーからの操作を受け付ける操作部と、
ユーザーが前記操作部を操作して入力した前記用紙トレイにセットされた用紙のサイズを記憶する記憶手段と、
前記用紙トレイにセットされている用紙の用紙長を検知する用紙長検知手段と、
前記用紙トレイにセットされている用紙の用紙幅を検知する用紙幅検知手段と、
表示部とを備え、
画像データを所定時間受信しない状態が続いた場合に一部構成への電力供給を停止するスリープモードから復帰した後、前記用紙長検知手段および前記用紙幅検知手段により検知された用紙の用紙長および用紙の用紙幅が、前記記憶手段に記憶されている用紙のサイズのものと対応するか否かを判断し、
検知された用紙の用紙長および用紙の用紙幅が前記記憶手段に記憶されている用紙のサイズのものと対応する場合は、前記表示部に用紙のサイズの入力をユーザーに促す表示をせずにコピーができる旨の表示をおこない、
検知された用紙の用紙長および用紙の用紙幅が前記記憶手段に記憶されている用紙のサイズのものと対応しない場合は、前記表示部に用紙のサイズの入力をユーザーに促す表示をおこなうことを特徴とする画像形成装置。
【請求項４】
請求項３に記載の画像形成装置において、
前記用紙トレイに用紙がセットされたことを検知するセット検知手段を備え、
画像データを所定時間受信しない状態が続いた場合に一部構成への電力供給を停止するスリープモードから復帰した後、前記セット検知手段が、前記用紙トレイに用紙がセットされていることを検知していたら、前記用紙長検知手段および前記用紙幅検知手段により検知された用紙の用紙長および用紙の用紙幅が、前記記憶手段に記憶されている用紙のサイズのものと対応するか否かを判断することを特徴とする画像形成装置。
【請求項５】
請求項１乃至４いずれか記載の画像形成装置において、
前記操作部と前記表示部とを有する操作パネルを備えることを特徴とする画像形成装置。
【請求項６】
請求項１乃至５いずれかに記載の画像形成装置において、
前記用紙長検知手段および前記用紙幅検知手段により検知された用紙の用紙長および用紙の用紙幅が、前記記憶手段に記憶されている用紙のサイズのものと対応しない場合は、前記用紙トレイにセットした用紙のサイズを入力するための操作内容を前記表示部に表示することを特徴とする画像形成装置。
【請求項７】
請求項１乃至６いずれかに記載の画像形成装置において、
前記用紙トレイに用紙がセットされたことを検知するセット検知手段を備え、
前記セット検知手段が、前記用紙トレイに用紙がセットされたことを検知したら、前記用紙長検知手段および前記用紙幅検知手段により検知された用紙の用紙長および用紙の用紙幅が、前記記憶手段に記憶されている用紙のサイズのものと対応するか否かを判断し、
検知された用紙の用紙長および用紙の用紙幅が前記記憶手段に記憶されている用紙のサイズのものと対応する場合は、前記表示部に用紙のサイズの入力をユーザーに促す表示をせずにコピーができる旨の表示をおこない、
検知された用紙の用紙長および用紙の用紙幅が前記記憶手段に記憶されている用紙のサイズのものと対応しない場合は、前記表示部に用紙のサイズの入力をユーザーに促す表示をおこなうことを特徴とする画像形成装置。
【請求項８】
請求項１乃至７いずれかに記載の画像形成装置において、
前記用紙トレイに用紙がセットされたことを検知するセット検知手段を備え、
前記セット検知手段が、前記用紙トレイに用紙がセットされたことを検知していない状態で、ユーザーが前記操作部を操作して、給紙するトレイとして、用紙トレイを選択した場合は、用紙のサイズの入力をユーザーに促す画面を前記表示部に表示することを特徴とする画像形成装置。
【請求項９】
請求項１乃至８いずれかに記載の画像形成装置において、
前記用紙トレイが、用紙が手差しでセットされる手差しトレイであることを特徴とする画像形成装置。
【請求項１０】
請求項１乃至９いずれかに記載の画像形成装置において、
前記用紙トレイにセットされた用紙のサイズに基づいて、前記画像形成手段の画像形成条件を設定する画像形成条件設定手段を備えることを特徴とする画像形成装置。
【請求項１１】
請求項１乃至１０いずれかに記載の画像形成装置において、
前記用紙長検知手段および前記用紙幅検知手段により検知された用紙の用紙長および用紙の用紙幅が、前記記憶手段に記憶されている用紙のサイズのものと対応しない場合は、ユーザーの操作なしに次の表示への画面の遷移をおこなわないように前記表示部が制御されることを特徴とする画像形成装置。
【請求項１２】
請求項１乃至１１いずれかに記載の画像形成装置において、
前記用紙長検知手段および前記用紙幅検知手段により検知された用紙の用紙長および用紙の用紙幅が、前記記憶手段に記憶されている用紙のサイズのものと対応しない場合は、前記表示部は、用紙のサイズの入力を促す画面をポップアップ表示することを特徴とする画像形成装置。
【請求項１３】
請求項１乃至１２いずれかに記載の画像形成装置において、
前記操作部は、用紙のサイズとして定型サイズの入力をユーザーから受け付けることを特徴とする画像形成装置。
【請求項１４】
請求項１乃至１３いずれかに記載の画像形成装置において、
前記操作部は、用紙のサイズとして用紙幅および用紙長さの数値の入力をユーザーから受け付けることを特徴とする画像形成装置。
【手続補正２】
【補正対象書類名】明細書
【補正対象項目名】０００７
【補正方法】変更
【補正の内容】
【０００７】
本発明は以上の課題に鑑みなされたものであり、その目的は、用紙トレイにセットされた用紙サイズの入力し忘れを抑制し、かつ、用紙トレイに前回と同じサイズの用紙をセットした際のユーザーの煩わしさを防止することができる画像形成装置を提供することである。
【手続補正３】
【補正対象書類名】明細書
【補正対象項目名】０００８
【補正方法】変更
【補正の内容】
【０００８】
上記目的を達成するために、請求項１の発明は、画像形成装置において、用紙がセットされる用紙トレイと、用紙に画像を形成する画像形成手段と、ユーザーからの操作を受け付ける操作部と、ユーザーが前記操作部を操作して入力した前記用紙トレイにセットされた用紙のサイズを記憶する記憶手段と、前記用紙トレイにセットされている用紙の用紙長を検知する用紙長検知手段と、前記用紙トレイにセットされている用紙の用紙幅を検知する用紙幅検知手段と、表示部とを備え、電源ＯＦＦからＯＮに切り替わった後、前記用紙長検知手段および前記用紙幅検知手段により検知された用紙の用紙長および用紙の用紙幅が、前記記憶手段に記憶されている用紙のサイズのものと対応するか否かを判断し、検知された用紙の用紙長および用紙の用紙幅が前記記憶手段に記憶されている用紙のサイズのものと対応する場合は、前記表示部に用紙のサイズの入力をユーザーに促す表示をせずにコピーができる旨の表示をおこない、検知された用紙の用紙長および用紙の用紙幅が前記記憶手段に記憶されている用紙のサイズのものと対応しない場合は、前記表示部に用紙のサイズの入力をユーザーに促す表示をおこなうことを特徴とするものである。
【手続補正４】
【補正対象書類名】明細書
【補正対象項目名】０００９
【補正方法】変更
【補正の内容】
【０００９】
本発明によれば、用紙トレイにセットされた用紙サイズの入力し忘れを抑制し、かつ、用紙トレイに前回と同じサイズの用紙をセットした際のユーザーの煩わしさを防止することができる。